(57)【特許請求の範囲】
【請求項１】
複数の構造的なコンポーネントを備えるバーチャルリアリティ（ＶＲ）ヘッドセットであって、各々の構造的なコンポーネントはそれぞれ厚紙シートから形成され、前記複数の構造的なコンポーネントは折り畳まれて前記ＶＲヘッドセットを形成し、前記複数の構造的なコンポーネントは、
前記複数の構造的なコンポーネントが前記ＶＲヘッドセットの第１の構成において折り畳まれた状態で、ユーザの顔付近でまたは顔に向けて前記ＶＲヘッドセットを配置するための開口部を画定する複数のフラップと、
前記ＶＲヘッドセットの内壁と、
前記ＶＲヘッドセットの底壁と、
レンズフレームアセンブリと、
前記ＶＲヘッドセットの上壁と、
前記ＶＲヘッドセットの前記底壁に蝶番式に連結されたエンクロージャフラップとを含み、前記エンクロージャフラップは、前記ＶＲヘッドセットの前記第１の構成において、前記内壁に向けて前記ＶＲヘッドセット内に電子デバイスを固定し、かつ、前記複数の構造的なコンポーネントが前記ＶＲヘッドセットの第２の構成において折り畳まれた状態で、前記内壁と前記エンクロージャフラップとの間で前記開口部を画定する前記複数のフラップを囲むように構成されている、ＶＲヘッドセット。
【請求項２】
前記複数の構造的なコンポーネントは前記内壁に蝶番式に接続された上部レールをさらに含み、前記上部レールは前記ＶＲヘッドセット内に配設されており、入力機構を含む、請求項１に記載のＶＲヘッドセット。
【請求項３】
前記入力機構は、
前記上部レールに配設された入力ボタンと、
前記上部レールに連結されており、前記入力ボタンの押し下げに応答して前記内壁の開口部を通して延在するように構成されているハンマー構造と、
前記入力ボタンと前記ハンマー構造との間で延在し、前記入力ボタンを電気的に前記ハンマー構造に結合する導電体とを含む、請求項２に記載のＶＲヘッドセット。
【請求項４】
前記ＶＲヘッドセットの前記内壁に向けて前記ＶＲヘッドセット内に配設された前記電子デバイスの表示パネルに表示された画像がそれ自体を通して視認可能になるように、前記レンズフレームアセンブリに配設された非球面レンズの対をさらに備える、請求項１〜３のいずれか１項に記載のＶＲヘッドセット。
【請求項５】
前記エンクロージャフラップの内面に配設されたシリコーンパッドをさらに備える、請求項１〜４のいずれか１項に記載のＶＲヘッドセット。
【請求項６】
前記複数のフラップは、
第１の側方フラップと、
第２の側方フラップと、
前記第１の側方フラップと前記第２の側方フラップとの間に配設されており、ユーザの額に向けてまたは額付近に設けられるように構成された、湾曲した切欠きを有する上部フラップとを含む、請求項１〜５のいずれか１項に記載のＶＲヘッドセット。
【請求項７】
前記ＶＲヘッドセットの前記第１の構成において、
前記第１の側方フラップは、前記ＶＲヘッドセットの第１の内部側壁に締結されており、
前記第２の側方フラップは、前記ＶＲヘッドセットの第２の内部側壁に締結されている、請求項６に記載のＶＲヘッドセット。
【請求項８】
前記ＶＲヘッドセットの前記第１の構成および前記ＶＲヘッドセットの前記第２の構成において、前記エンクロージャフラップは前記ＶＲヘッドセットの内部上壁に締結されている、請求項１〜７のいずれか１項に記載のＶＲヘッドセット。
【請求項９】
バーチャルリアリティ（ＶＲ）ヘッドセットであって、
第１の構造的なコンポーネントを備え、前記第１の構造的なコンポーネントは、
ユーザの顔付近でまたは顔に向けて前記ＶＲヘッドセットを配置するための開口部を画定する複数のフラップと、
前記ＶＲヘッドセットの内壁の第１の部分と、
前記ＶＲヘッドセットの底壁の第１の部分と、
レンズフレームアセンブリの内側層と、
前記レンズフレームアセンブリの第１の外側層とを含み、前記ＶＲヘッドセットはさらに、
第２の構造的なコンポーネントを備え、前記第２の構造的なコンポーネントは、
前記内壁の前記第１の部分に取付固定された、前記ＶＲヘッドセットの前記内壁の第２の部分と、
前記ＶＲヘッドセットの上壁と、
前記レンズフレームアセンブリの第２の外側層と、
前記ＶＲヘッドセットの前記底壁の第２の部分と、
前記ＶＲヘッドセットの前記底壁の前記第２の部分に蝶番式に連結されており、前記ＶＲヘッドセット内で前記内壁に向けて電子デバイスを固定するように構成されたエンクロージャフラップとを含み、前記ＶＲヘッドセットはさらに、
第３の構造的なコンポーネントを備え、前記第３の構造的なコンポーネントは、
前記内壁の前記第２の部分に取付固定された、前記ＶＲヘッドセットの前記内壁の第３の部分と、
入力機構を含み、前記内壁の前記第３の部分に蝶番式に接続された上部レールとを含む、ＶＲヘッドセット。
【請求項１０】
前記複数のフラップは、
第１の側方フラップと、
第２の側方フラップと、
前記第１の側方フラップと前記第２の側方フラップとの間に配設され、ユーザの額に向けてまたは額付近に設けられるように構成された、湾曲した切欠きを有する上部フラップとを含む、請求項９に記載のＶＲヘッドセット。
【請求項１１】
前記第１の側方フラップ、前記第２の側方フラップ、および前記上部フラップは、前記内壁と前記エンクロージャフラップとの間に配設されるように折り畳み可能である、請求項１０に記載のＶＲヘッドセット。
【請求項１２】
前記エンクロージャフラップと前記ＶＲヘッドセットの前記内壁との間で前記ＶＲヘッドセットに配設された電子デバイスの表示パネルに表示された画像がそれ自体を通じて視認可能になるように、前記レンズフレームアセンブリに配設された非球面レンズの対をさらに備える、請求項９〜１１のいずれか１項に記載のＶＲヘッドセット。
【請求項１３】
前記非球面レンズの対の非球面レンズは前記レンズフレームアセンブリの前記内側層において画定されたレンズ開口部内に配設され、かつ、前記非球面レンズの周囲に配設された複数の保持タブによって所定の位置に保持され、前記複数の保持タブは前記レンズフレームアセンブリの前記第１の外側層と前記レンズフレームアセンブリの前記第２の外側層との間に配設されている、請求項１２に記載のＶＲヘッドセット。
【請求項１４】
前記複数の保持タブは各々、前記レンズフレームアセンブリの前記内側層において対応する切欠き内に配設されている、請求項１３に記載のＶＲヘッドセット。
【請求項１５】
前記入力機構は、
前記上部レールに配設された入力ボタンと、
前記上部レールに連結されており、前記入力ボタンの押し下げに応答して前記内壁の開口部を通じて延在するように構成されたハンマー構造と、
前記入力ボタンと前記ハンマー構造との間に延在し、前記入力ボタンを前記ハンマー構造に電気的に結合する導電体とを含む、請求項９〜１４のいずれか１項に記載のＶＲヘッドセット。
【請求項１６】
前記入力機構は、前記ハンマー構造に配設され、少なくとも前記導電体を介して前記入力ボタンに電気的に結合された導電性外面を有する発泡樹脂ボタンをさらに含む、請求項１５に記載のＶＲヘッドセット。
【請求項１７】
前記入力ボタンは、前記複数のフラップにおいて画定された切欠きを通じてアクセス可能である、請求項１５または１６に記載のＶＲヘッドセット。
【請求項１８】
前記エンクロージャフラップの内面に配設されたシリコーンパッドをさらに備える、請求項９〜１７のいずれか１項に記載のＶＲヘッドセット。
【請求項１９】
前記第１の構造的なコンポーネントは第１の厚紙シートから形成され、
前記第２の構造的なコンポーネントは第２の厚紙シートから形成され、
前記第３の構造的なコンポーネントは第３の厚紙シートから形成され、
前記ＶＲヘッドセットは、前記第１の厚紙シート、前記第２の厚紙シート、および前記第３の厚紙シートをそれら自体に形成された複数のスコアラインのそれぞれに沿って折り畳むことによって形成される、請求項９〜１８のいずれか１項に記載のＶＲヘッドセット。
【請求項２０】
前記開口部を画定する前記複数のフラップは、複数の構造的なコンポーネントが前記ＶＲヘッドセットの第１の構成において折り畳まれた状態で、前記ＶＲヘッドセットの外面の少なくとも一部を形成し、
前記開口部を画定する前記複数のフラップは、前記複数の構造的なコンポーネントが前記ＶＲヘッドセットの第２の構成において折り畳まれた状態で、前記エンクロージャフラップ内に配設されている、請求項９〜１９のいずれか１項に記載のＶＲヘッドセット。
【発明の詳細な説明】
【技術分野】
【０００１】
関連出願の相互参照
本願は、全体が引用により本明細書に援用される、いずれも「Virtual Reality Headset」と題された、２０１５年５月２７日に出願された米国仮特許出願第６２／１６７，２６６号の非仮出願であって、それに基づく利益を主張し、かつ、２０１６年５月１８日に出願された米国特許出願第１５／１５８，１４１号の継続出願である。
【０００２】
技術分野
本開示は、バーチャルリアリティヘッドセットに関し、より詳細には、バーチャルリアリティアプリケーションを実行するユーザ電子デバイスと連動して使用可能なバーチャルリアリティヘッドセットに関する。
【発明の概要】
【課題を解決するための手段】
【０００３】
要約
一般的な態様において、バーチャルリアリティヘッドセットは、複数の構造的なコンポーネントを備え得、各々の構造的なコンポーネントは、それぞれ厚紙シートから形成され得る。複数の構造的なコンポーネントは、折り畳まれてＶＲヘッドセットを形成する。複数の構造的なコンポーネントは、ＶＲヘッドセットの第１の構成においてユーザの顔付近でまたは顔に向けてＶＲヘッドセットを配置するための開口部を画定する複数のフラップと、ＶＲヘッドセットの内壁と、ＶＲヘッドセットの底壁と、レンズフレームアセンブリと、ＶＲヘッドセットの上壁と、ＶＲヘッドセットの底壁に蝶番式に連結されたエンクロージャフラップとを含み得る。エンクロージャフラップは、ＶＲヘッドセットの第１の構成において、内壁に向けてＶＲヘッドセット内に電子デバイスを固定するように構成され得る。ＶＲヘッドセットの第２の構成において、エンクロージャフラップは、内壁とエンクロージャフラップとの間で開口部を画定する複数のフラップを囲むように構成され得る。
【０００４】
実施の態様は、以下の特徴のうちの１つ以上の特徴を含み得る。たとえば、複数の構造的なコンポーネントは、内壁に蝶番式に接続された上部レールを含み得る。上部レールはＶＲヘッドセット内に配設可能であり、入力機構を含み得る。入力機構は、上部レールに配設された入力ボタンと、上部レールと連結されたハンマー構造とを含み得る。ハンマー構造は、入力ボタンの押し下げに応答して内壁の開口部を通して延在するように構成され得る。入力機構は、入力ボタンとハンマー構造との間で延在する導電体を含み得る。導電体は、入力ボタンをハンマー構造に電気的に結合可能である。
【０００５】
ＶＲヘッドセットは、ＶＲヘッドセットの内壁に向けてＶＲヘッドセット内に配設された電子デバイスの表示パネルに表示された画像がそれ自体を通して視認可能になるように、レンズフレームアセンブリに配設された非球面レンズの対を備え得る。ＶＲヘッドセットは、エンクロージャフラップの内面に配設されたシリコーンパッドを含み得る。
【０００６】
複数のフラップは、第１の側方フラップと、第２の側方フラップと、第１の側方フラップと第２の側方フラップとの間に配設された上部フラップとを含み得る。上部フラップは、ユーザの額に向けてまたは額付近に設けられるように構成された、湾曲した切欠きを有し得る。ＶＲヘッドセットの第１の構成において、第１の側方フラップはＶＲヘッドセットの第１の内部側壁に締結可能であり、第２の側方フラップはＶＲヘッドセットの第２の内部側壁に締結可能である。ＶＲヘッドセットの第１の構成およびＶＲヘッドセットの第２の構成において、エンクロージャフラップをＶＲヘッドセットの内部上壁に締結可能である。
【０００７】
他の一般的な態様において、バーチャルリアリティ（ＶＲ）ヘッドセットは、第１の構造的なコンポーネントと、第２の構造的なコンポーネントと、第３の構造的なコンポーネントとを備え得る。第１の構造的なコンポーネントは、ユーザの顔付近でまたは顔に向けてＶＲヘッドセットを配置するための開口部を画定する複数のフラップと、ＶＲヘッドセットの内壁の第１の部分と、ＶＲヘッドセットの底壁の第１の部分と、レンズフレームアセンブリの内側層と、レンズフレームアセンブリの第１の外側層とを含み得る。第２の構造的なコンポーネントは、ＶＲヘッドセットの内部壁の第２の部分を含み得る。内部壁の第２の部分を、内部壁の第１の部分に取付固定可能である。第２の構造的なコンポーネントは、ＶＲヘッドセットの上壁と、レンズフレームアセンブリの第２の外側層と、ＶＲヘッドセットの底壁の第２の部分と、ＶＲヘッドセットの底壁の第２の部分に蝶番式に連結されたエンクロージャフラップとをさらに含み得る。エンクロージャフラップは、ＶＲヘッドセット内で内壁に向けて電子デバイスを固定するように構成可能である。第３の構造的なコンポーネントは、ＶＲヘッドセットの内壁の第３の部分を含み得る。内壁の第３の部分を、内壁の第２の部分に取付固定可能である。また、第３の構造的なコンポーネントは、入力機構を有する上部レールを含み得る。上部レールは、内壁の第３の部分に蝶番式に接続可能である。
【０００８】
実施の態様は、以下の特徴のうちの１つ以上の特徴を含み得る。たとえば、複数のフラップは、第１の側方フラップと、第２の側方フラップと、第１の側方フラップと第２の側方フラップとの間に配設された上部フラップとを含み得る。上部フラップは、ユーザの額に向けてまたは額付近に設けられるように構成された、湾曲した切欠きを有し得る。第１の側方フラップ、第２の側方フラップ、および上部フラップは、内壁とエンクロージャフラップとの間に配設されるように折り畳み可能である。
【０００９】
ＶＲヘッドセットは、エンクロージャフラップとＶＲヘッドセットの内壁との間でＶＲヘッドセットに配設された電子デバイスの表示パネルに表示された画像がそれ自体を通じて視認可能になるように、レンズフレームアセンブリに配設された非球面レンズの対を備え得る。非球面レンズの対の非球面レンズを、レンズフレームアセンブリの内側層において画定されたレンズ開口部内に配設可能であり、かつ、非球面レンズの周囲に配設された複数の保持タブによって所定の位置に保持可能である。複数の保持タブを、レンズフレームアセンブリの第１の外側層とレンズフレームアセンブリの第２の外側層との間に配設可能である。複数の保持タブは各々、レンズフレームアセンブリの内側層において対応する切欠き内に配設可能である。
【００１０】
入力機構は、上部レールに配設された入力ボタンと、上部レールと連結されたハンマー構造とを含み得る。ハンマー構造は、入力ボタンの押し下げに応答して内壁において開口部を通じて延在するように構成され得る。入力機構は、入力ボタンとハンマー構造との間に延在する導電体を含み得る。導電体は、入力ボタンをハンマー構造に電気的に結合可能である。入力機構は、ハンマー構造に配設された発泡樹脂ボタンを含み得る。発泡樹脂ボタンは、少なくとも導電体を介して入力ボタンと電気的に結合された導電性外面を有し得る。入力ボタンは、複数のフラップにおいて画定された切欠きを通じてアクセス可能である。
【００１１】
ＶＲヘッドセットは、エンクロージャフラップの内面に配設されたシリコーンパッドを備え得る。
【００１２】
第１の構造的なコンポーネントは、第１の厚紙シートから形成され得る。第２の構造的なコンポーネントは、第２の厚紙シートから形成され得る。第３の構造的なコンポーネントは、第３の厚紙シートから形成され得る。ＶＲヘッドセットは、第１の厚紙シート、第２の厚紙シート、および第３の厚紙シートをそれら自体に形成された複数のスコアラインのそれぞれに沿って折り畳むことによって形成され得る。
【００１３】
開口部を画定する複数のフラップは、ＶＲヘッドセットの第１の構成においてＶＲヘッドセットの外面の少なくとも一部を形成し得る。開口部を画定する複数のフラップは、ＶＲヘッドセットの第２の構成においてエンクロージャフラップ内に配設され得る。
【図面の簡単な説明】
【００１４】
【図１】一実施態様に係る、第１の視点からバーチャルリアリティ（ＶＲ）ヘッドセットを示す図である。
【図２】一実施態様に係る、図１ＡのＶＲヘッドセットを第２の視点から示す図である。
【図３】一実施態様に係る、出荷および搬送に適した構成における図１および図２のＶＲヘッドセットを示す図である。
【図４】一実施態様に係る、出荷スリーブに挿入された図３のＶＲヘッドセットを示す図である。
【図５】一実施態様に係る、図１および図２に示すようなＶＲヘッドセットの構成を、図３に示すようなＶＲヘッドセットの構成に変更するプロセスを示す図である。
【図６】一実施態様に係る、図１および図２に示すようなＶＲヘッドセットの構成を、図３に示すようなＶＲヘッドセットの構成に変更するプロセスを示す図である。
【図７】一実施態様に係る、図１〜図６のＶＲヘッドセットの入力機構を示す図である。
【図８】一実施態様に係る、図１〜図６のＶＲヘッドセットの入力機構を示す図である。
【図９】一実施態様に係る、図７および図８のＶＲヘッドセット入力機構の動作を示す断面図である。
【図１０】一実施態様に係る、図７および図８のＶＲヘッドセット入力機構の動作を示す断面図である。
【図１１】一実施態様に係る、図１〜図８のＶＲヘッドセットの構成部品を示す図である。
【図１２】一実施態様に係る、図１〜図８のＶＲヘッドセットの構成部品を示す図である。
【図１３】一実施態様に係る、図１〜図８のＶＲヘッドセットの構成部品を示す図である。
【図１４】一実施態様に係る、図１〜図８のＶＲヘッドセットの構成部品を示す図である。
【図１５】一実施態様に係る、図１〜図８のＶＲヘッドセットの構成部品を示す図である。
【図１６】一実施態様に係る、図１〜図８のＶＲヘッドセットの構成部品を示す図である。
【図１７】一実施態様に係る、図１１〜図１６の構成部品から図１〜図６のＶＲヘッドセットを製造するための組立てステップを示す図である。
【図１８】一実施態様に係る、図１１〜図１６の構成部品から図１〜図６のＶＲヘッドセットを製造するための組立てステップを示す図である。
【図１９】一実施態様に係る、図１１〜図１６の構成部品から図１〜図６のＶＲヘッドセットを製造するための組立てステップを示す図である。
【図２０】一実施態様に係る、図１１〜図１６の構成部品から図１〜図６のＶＲヘッドセットを製造するための組立てステップを示す図である。
【図２１】一実施態様に係る、図１１〜図１６の構成部品から図１〜図６のＶＲヘッドセットを製造するための組立てステップを示す図である。
【図２２】一実施態様に係る、図１１〜図１６の構成部品から図１〜図６のＶＲヘッドセットを製造するための組立てステップを示す図である。
【図２３】一実施態様に係る、図１１〜図１６の構成部品から図１〜図６のＶＲヘッドセットを製造するための組立てステップを示す図である。
【図２４】一実施態様に係る、図１１〜図１６の構成部品から図１〜図６のＶＲヘッドセットを製造するための組立てステップを示す図である。
【図２５】一実施態様に係る、図１１〜図１６の構成部品から図１〜図６のＶＲヘッドセットを製造するための組立てステップを示す図である。
【図２６】一実施態様に係る、図１１〜図１６の構成部品から図１〜図６のＶＲヘッドセットを製造するための組立てステップを示す図である。
【発明を実施するための形態】
【００１５】
さまざまな図面の同じまたは同様の参照符号は、同じまたは同様の要素を示す。同じまたは同様の要素の参照符号の中には、全てのそのような要素について繰り返されないものもある。ある実施態様の特定の要素の参照番号の中には、その実施態様と対応する各図面において繰り返されないものもある。ある実施態様の特定の要素の参照番号の中には、その実施態様と対応する他の図面において繰り返されるものもあるが、それらは、各対応図面を参照して詳細に説明されないこともある。
【００１６】
詳細な説明
本開示は、他のＶＲヘッドセットの実施態様と比較して、比較的低コストでユーザに提供可能なバーチャルリアリティ（ＶＲ）ヘッドセット（ＶＲゴーグルとも呼ばれる）に向けられている。ここで説明されるＶＲヘッドセットは、スマートフォン、タブレットなどの、表示パネルを備える電子デバイスと連動して使用可能である。ＶＲアプリケーションまたはコンテンツは電子デバイスで実行可能であり、ここで説明されるように、ＶＲヘッドセット内へ挿入可能、かつ、この中で固定可能である。ユーザはＶＲヘッドセットを用いて、電子デバイスの表示パネルに表示されるＶＲアプリケーションまたはコンテンツなどと関連のある（によって作成された）画像を眺めてそのコンテンツをバーチャルリアリティコンテンツとして（たとえば、仮想３次元ビューにおいて）体験することが可能である。
【００１７】
図面に示されている、およびここで説明されるＶＲヘッドセットの実施態様は、例として示されている。したがって、ある実施態様の特徴を、必要に応じて他の実施態様に含むことも可能である。さらに、ある実施態様の特徴を、他の実施態様では省略可能である。また、図面で示される、およびここで説明される実施態様の要素は例示であって、同縮尺率で示されない場合がある。さらに、ある装置の特定の要素の配置は、特定の実施態様によって決まり得る。
【００１８】
以下の説明では、図示されたＶＲヘッドセットの実施態様のさまざまな要素を、上、左、右、下などの相対的な用語を用いて言及する場合がある。これらの用語は、図示された実施態様を説明するために例として使用される。他の実施態様または他の向きにおいては、これらの参照は変わることがある。たとえば、ある視界におけるＶＲヘッドセットの左側は、同じＶＲヘッドセットの他の視界では右側と呼ばれる場合もある。
【００１９】
さらに、ここで説明されるＶＲヘッドセットの実施態様の構成要素は、第１、第２などの列挙参照を使用して言及される場合がある。上述の相対参照に対して、そのような列挙参照は、ＶＲヘッドセットの特定の向き（所定の図面における）または特定の実施態様に応じて変化し得る。たとえば、ある視界の第１の端部は、他の視界では、または異なるＶＲヘッドセットの実施態様を説明する場合には、第２の端部と呼ばれることがある。
【００２０】
図１および図２はそれぞれ、実施態様に係る、第１の視点および第２の視点からバーチャルリアリティ（ＶＲ）ヘッドセット１００を示す図である。ここで説明するように、ＶＲヘッドセット１００は、たとえば図１１〜図１６に示すような構成部品から製造可能である。これらの構成部品の例は、下記でさらに説明される。しかしながら、簡潔に言うと、それらの部品は３つの構造的なコンポーネント１１００、１２００、および１４００（図１１、図１２、および図１４に示されており、厚紙または他の好適な材料から形成可能である）と、図１３に示す（ＶＲビジュアルコンテンツを眺めるための）非球面レンズ１２２の対と、図１５および図１６に示す、入力装置を形成する（図１４の構造的なコンポーネントと連動して）ためのコンポーネント１５００および１６００とを含む。入力装置は、ＶＲコンテンツを眺めるための、ユーザの指とＶＲヘッドセットに挿入される電子デバイスのタッチスクリーンとの間の導電路を含む。そのような入力装置によって、電子デバイスの静電容量式タッチスクリーンを使用して、ＶＲヘッドセット１００上の入力ボタン１５０を介してユーザの入力を受信しやすくなる。
【００２１】
図１および図２に示すように、ＶＲヘッドセット１００は、第１の側方フラップ１１２と、上部フラップ１１４と、第２の側方フラップ１１６とを備え得る。また、ＶＲヘッドセット１００は、前面（エンクロージャ）フラップ１３０を備え得る。ＶＲヘッドセット１００では、ＶＲヘッドセット１００を使用して電子デバイス上のＶＲコンテンツを眺めるときに、前面フラップ１３０を使用してＶＲヘッドセット内で電子デバイス（たとえば、スマートフォン、タブレットなど）を固定することができる。
【００２２】
図１および図２に示すように、フラップ１１２、１１４、および１１６は、ＶＲヘッドセット１００に挿入された電子デバイスに表示されるＶＲコンテンツを眺めるために、ユーザがＶＲヘッドセット１００を自身の顔にまたは顔付近に配置するための開口部を形成可能である。たとえば、図１および図２に示すように、上部フラップ１１４は、ユーザがＶＲヘッドセット１００を使用するときに快適にＶＲヘッドセット１００を自身の目の上に（たとえば、自身の額に向けて）配置することができる湾曲部を有している。側方フラップ１１２および１１６は、ＶＲヘッドセット１００がユーザの顔に、またはその付近に配置されたときに外からの光を遮るように構成され、ユーザのＶＲ鑑賞体験を改善する。
【００２３】
また、ＶＲヘッドセット１００はレンズフレームアセンブリ１２０を備え得る。ＶＲコンテンツ（電子デバイスに描写された）を眺めるのに好適な非球面レンズ１２２の対を、レンズアセンブリ１２０に配設可能である。ＶＲヘッドセット１００では、レンズアセンブリ１２０は、たとえばここで説明するような方法を使用してレンズアセンブリ１２０内に非球面レンズ１２２を固定するように構成された複数の材料層（たとえば、複数の厚紙層）を備え得る（から形成され得る）。
【００２４】
非球面レンズ１２２の焦点距離は、ＶＲヘッドセット１００の物理的寸法に基づいて選択可能である。ここで説明するように、レンズフレームアセンブリ１２０は３層積層体（たとえば、打抜き厚紙の３層）と、第１の外側層と、内側層（レンズ１２２をレンズアセンブリ１２０において一直線に合わせるための切欠きを有する）と、第２の外側層とを含んでもよく、これらは各々、レンズ１２２の各々を通る視線が明瞭になるような開口部を有している。レンズアセンブリの２つの外側層は、レンズ１２２の光学直径と同一またはそれよりもわずかに大きな直径の円形のレンズ開口部を有してもよく、レンズ１２２を通したユーザの視野を塞がないようになっている。他の方法では、ここで説明される方法とは異なる方法を使用して、レンズ１２２をレンズフレームアセンブリ１２０に搭載（たとえば、取付け）することができる。
【００２５】
図１および図２に示すように、エンクロージャフラップ１３０をＶＲヘッドセット１００の底側と（たとえば、エンクロージャフラップ１３０の第１の端部において）蝶番式に連結可能である。エンクロージャフラップ１３０とＶＲヘッドセット１００の底側との間の蝶番は、ＶＲヘッドセット１００の構造的なコンポーネントの１つ（または複数）の一部として画定可能である（たとえば、関連する切断プロセス中に）。図１および図２にも示すように、エンクロージャフラップ１３０の第２の端部をＶＲヘッドセット１００の上部側に取り付け可能である（たとえば、取付け機構、ファスナ装置などを用いて取り外し可能に取り付け可能である）。一実施態様では、ファスナ機構は面ファスナ機構を含み得る。
【００２６】
図１および図２に示す配置では、エンクロージャフラップ１３０は、電子デバイスの表示パネルがレンズフレームアセンブリ１２０に面する状態でＶＲヘッドセット１００内で電子デバイス（図示せず）を固定してもよく、これによって、電子デバイスに表示された画像（たとえば、ＶＲアプリケーションまたはＶＲコンテンツの関連画像）を非球面レンズ１２２を通して眺めることができる。いくつかの実施態様では、エンクロージャ（前面）フラップ１３０は、電子デバイスをＶＲヘッドセット１００から取り外すことなく、ＶＲヘッドセット１００内に配設された電子デバイスのカメラが画像を撮影することができるような窓または孔（図示せず）も備え得る。
【００２７】
また、ＶＲヘッドセット１００は、エンクロージャフラップ１３０の内面に配設されたパッド（たとえば、ステッカーなど）１３２を備え得る。パッド１３２（後の図面でさらに詳細に示す）は、粘着性の表面を有するシリコーンパッドでもよく、粘着性の表面は、ＶＲヘッドセット１００内に配設されてエンクロージャフラップ１３０でＶＲヘッドセット１００内（たとえば、エンクロージャフラップ１３０とＶＲヘッドセットの内壁との間）に固定された電子デバイスの移動を防止し得る。たとえば、パッド１３２は、エンクロージャフラップ１３０で固定されると、電子デバイスの筐体と接触し得る。
【００２８】
図１および図２に示すように、ＶＲヘッドセット１００は入力ボタン１５０を含む入力装置（機構）を備えてもよく、上部フラップ１１４および側方フラップ１１２の切欠き１５０ａを通してこのボタンにアクセス可能である。そのような入力機構の実施態様の例が、少なくとも図７〜図１０に示され、かつ、以下で詳細に説明される。他の実施態様では、入力ボタン１５０はＶＲヘッドセット１００上の異なる場所に設けられてもよい、または、他の入力機構を使用可能である。
【００２９】
図３は、実施態様に係る、出荷および搬送に好適な構成における図１および図２のＶＲヘッドセット１００を示す図である。図３に示すＶＲヘッドセット１００の構成では、フラップ１１２、１１４、および１１６は折り畳まれて、前面フラップ１３０によってＶＲヘッドセット１００と固定される。フラップ１１２、１１４、および１１６の損傷を防ぐことができるため、図３に示すＶＲヘッドセット１００の構成は、ＶＲヘッドセット１００の出荷および／または搬送により好適であり得る。図３に示すように、ＶＲヘッドセット１００は、第１の内側方１１２ａと内側上部１１４ａとを備え得る。内側方１１２ａおよび内側上部（内側上部側方）１１４ａは、ＶＲヘッドセットが図１および図２に示す構成の場合、それぞれ側方フラップ１１２および上部フラップ１１４によって覆われている。また、図３に示すように、ＶＲヘッドセット１００は、ＶＲヘッドセット１００を使用する場合に側方フラップ１１２を所定の位置に固定するために使用可能な面ファスナ１１２ｂを備え得る。
【００３０】
図４は、図３に示す構成のＶＲヘッドセット１００を示し、ＶＲヘッドセットは出荷スリーブ４００に挿入されている。出荷スリーブ４００は、ＶＲヘッドセット１００を出荷および搬送中の損傷からさらに防止し得る。また、図４に示すように、ＶＲヘッドセット１００は、第２の内側方１１６ａを備え得る。ＶＲヘッドセット１００が図１および図２に示す構成の場合、内側方１１６ａは側方フラップ１１６によって覆われている。また、図４に示すように、ＶＲヘッドセット１００は、ＶＲヘッドセット１００を使用する場合に（たとえば、図１および図２に示す構成で）、側方フラップ１１６を所定の位置に固定するために使用可能な面ファスナ１１６ｂを備え得る。
【００３１】
図５および図６は、実施態様に係る、図１および図２に示すようなＶＲヘッドセット１００の構成を図３に示すようなＶＲヘッドセット１００の構成に変更するプロセスを示す。図５に示すように、ＶＲヘッドセット１００の側方フラップ１１２、側方フラップ１１６、および上部フラップ１１４はそれぞれ、たとえば対応するファスナ機構（面ファスナなど）を取り外すことによって、ＶＲヘッドセット１００の内側方１１２ａ、内側方１１６ａ、および内側上部１１４ａから取り外されている。図５に示すように、ＶＲヘッドセット１００は、ＶＲヘッドセット１００を使用する場合に前面フラップ１３０を所定の位置に固定するために使用可能な面ファスナ１１４ｂを備えてもよく、エンクロージャ（前面）フラップ１３０は、図１および図２に示すＶＲヘッドセット１００の構成で上部フラップ１１４を所定の位置に保持する。
【００３２】
また、図５はさらに、特定の実施態様におけるエンクロージャフラップ１３０の内面上のパッド１３２の配置を示す。
【００３３】
図６に示すように、図５に示すＶＲヘッドセット１００の配置から進んで、側方フラップ１１２および１１６を上部フラップ１１４の上に折り重ねることができる。その後、フラップ１１２、１１４、および１１６を全て下向きに畳んで、前面フラップ１３０によってＶＲヘッドセット１００内で固定できる。
【００３４】
図７および図８は、実施態様に係る、図１〜図６のＶＲヘッドセット１００の入力ボタン機構７００を示す図である。説明のために、図７および図８では、入力ボタン機構７００をＶＲヘッドセット１００から分離して示している。ＶＲヘッドセット１００において使用されているときは、入力ボタン機構７００をＶＲヘッドセット１００内に配設可能であり、側方フラップ１１２、内側方１１２ａ、上部フラップ１１４、および内側上部１１４ａの切欠きを通して入力ボタン機構７００の入力ボタン１５０にアクセス可能である。
【００３５】
図７および図８に示すように、入力ボタン機構７００は、図１４の平面図に示す構造的なコンポーネント（入力ボタン部１４００）を備え得る。構造的なコンポーネント１４００は、上部レール１４１０と、内壁部１４２０と、ハンマー構造１４３０と、蝶番角部１４４０とを備え得る。そのような方法では、入力ボタン機構７００の入力ボタン１５０がＶＲヘッドセット１００において押されると、蝶番角部１４４０によって、上部レール１４１０は、ハンマー構造１４３０がＶＲヘッドセット１００に配設されている電子デバイスのタッチスクリーンに（たとえば、図示されている内壁部１４２０の開口部を通して）向かって移動（たとえば、回転、旋回）でき、かつ、これと接触できるように、移動する（たとえば、旋回する）。
【００３６】
また、図７および図８に示すように、入力ボタン機構７００は導電性ストリップ１５００（図１５に示す）および発泡樹脂ボタンまたはウェッジ１６００（図１６に示す）を備え得る。いくつかの実施態様では、発泡樹脂ボタン１６００は導電性を有してもよく、他の実施態様では、発泡樹脂ボタン１６００は導電体に包まれていてもよい。導電性ストリップ１５００および発泡樹脂ボタン１６００は、発泡樹脂ボタン１６００がタッチスクリーンと接触するときに、入力ボタン１５０からＶＲヘッドセット１００に配設された電子デバイスのタッチスクリーンへの導電路を形成し得る。したがって、入力ボタン機構７００によって、ユーザは、ＶＲヘッドセット１００を用いて電子デバイスでＶＲコンテンツを見ながら、入力ボタン１５０を使用することによってＶＲヘッドセット１００に配設された電子デバイスと対話可能である。
【００３７】
図９および図１０は、実施態様に係る、図７および図８のＶＲヘッドセット入力機構の動作を示す断面図である。図９は、入力ボタン１５０がまだ押し下げられていないときの入力ボタン機構７００の向きを示す。図９に示すように、ハンマー構造１４３０および発泡樹脂ボタン１６００は、入力ボタン機構の内壁部１４２０内に配設されている。図１０は、入力ボタン１５０が押し下げられた状態の入力ボタン機構７００の向きを示す。図１０に示すように、上部レール１４１０が蝶番角部１４４０で回転すると（たとえば、旋回、または蝶番式に移動すると）、ハンマー構造１４３０および発泡樹脂ボタン１６００は左側に移動してＶＲヘッドセット１００の内壁構造１４２０を通過する。使用中、これによって、発泡樹脂ボタン１６００はＶＲヘッドセット内に挿入された電子デバイスのタッチスクリーンと接触し、入力ボタン１５０（導電性ストリップ１５００によって覆われている）と発泡樹脂ボタン１６００との間の導電路のために、ユーザが入力ボタン１５０を用いて電子デバイスと対話しやすくなる。
【００３８】
図１１〜図１６は、実施態様に係る、図１〜図８のＶＲヘッドセットの構成部品を示す図である。ＶＲヘッドセット１００を製造するための図１１〜図１６に示す構成部品の組み立てが図１７〜図２６によって示され、以下で説明される。図１１、図１２、および図１３に示すように、これらの図面に示す構造的なコンポーネントは、複数のスコアラインを含み得る。ＶＲヘッドセット１００は、これらのスコアラインに沿ってこれらの構造的なコンポーネントを折り畳むことによって形成され得る（たとえば、図１７〜図２６に示すように）。
【００３９】
図１１は、ＶＲヘッドセット１００を製造するために使用可能な第１の構造的なコンポーネントを示す。図１１の構造的なコンポーネントは、側方フラップ１１２および１１６を含み、かつ、上部フラップ１１４も含むため、ＶＲヘッドセット１００のフラップ部と呼ばれることがある。また、図１１に示すように、フラップ部１１００は、ファスナ機構（たとえば、面ファスナ機構）を一直線に合わせるために使用可能な開口部１１４ｃを有し得、このファスナ機構は、たとえば図１および図２に示すように、ヘッドセットの上部側方にＶＲヘッドセット１００の前面フラップ１３０を固定するために使用可能である。フラップ部１１００は、上部フラップ１１４および側方フラップ１１２において画定される開口部１５０ａも含み得、開口部１５０ａによって、ＶＲヘッドセット１００の入力ボタン機構７００の入力ボタン１５０にアクセス可能になる。
【００４０】
また、図１１に示すように、フラップ部１１００は、ＶＲヘッドセット１００の内部構造の一部を形成可能な内壁部１１２０および底部１１３０を含み得る。フラップ部１１００は、ユーザの鼻を通り超えるように構成された鼻用切欠き１１４０も含み得る。フラップ部１１００は、レンズアセンブリ１２０の内壁部１２０ａとレンズアセンブリ１２０の第１の外壁部１２０ｂとをさらに備え得る。内壁部１２０ａは、その内部に画定されたレンズ開口部１１５０を備えてもよく、レンズ開口部１１５０は、レンズアセンブリ１２０内で非球面レンズ１２２を適切に一直線に合わせるために（たとえば、非球面レンズ１２２上に備えられたタブと連動して）使用可能な切欠きを含む。同様に、外壁部１２０ｂは、その内部に画定された円形のレンズ開口部１１５５を備えてもよく、レンズ開口部１１５５は、非球面レンズ１２２を塞がないような、または、非球面レンズ１２２を通したユーザの視線を遮らないような大きさに形成されている。
【００４１】
図１２は、ＶＲヘッドセット１００を製造するために使用可能な第２の構造的なコンポーネントを示す。図１２に示す構造的なコンポーネントは、ＶＲヘッドセット１００のシャシー部１２００と呼ばれることがある。図１２に示すように、シャシー部１２００は、ＶＲヘッドセット１００の前面フラップ１３０を含み得る。また、シャシー部１２００は、フラップ部１１００の対応する部分と共にＶＲヘッドセット１００の内部構造の一部を形成可能な内壁部１２２０と底部１２３０とを含み得る。また、シャシー部１２００は、ＶＲヘッドセット１００を使用するときにユーザの鼻を通り超えるように（鼻用切欠き１１４０と一直線になって）構成された鼻用切欠き１２４０を備え得る。
【００４２】
また、図１２に示すように、シャシー部１２００は、内側方１１２ａ、内側上部１１４ａ、および内側方１１６ａを含み得る。内側方１１２ａは開口部１１２ｃを含み得、内側方１１６ａは開口部１１６ｃを含み得、これらの開口部１１２ｃおよび１１６ｃは、たとえば図１および図２に示すように、側方フラップ１１２および１１６をＶＲヘッドセット１００の内部構造に固定するために使用可能なファスナ機構（たとえば、面ファスナ機構）をそれぞれ位置合わせするために使用可能である。また、シャシー部１２００は、内側方１１２ａがたとえば図３に示すようにフラップ１１２ｄに取付けられた状態で、内側方１１２ａの下で折り畳み可能なフラップ１１２ｄを含み得る。同様に、シャシー部１２００は、たとえば図４に示すように内側方１１６ａがフラップ１１６ｄに取付けられた状態で、内側方１１６ａの下で折り畳み可能なフラップ１１６ｄも含み得る。
【００４３】
シャシー部１２００は、レンズアセンブリ１２０の第２の外壁部１２０ｃをさらに含み得る。第２の外壁部１２０ｃは、フラップ部１１００に備えられている第１の外壁部１２０ｂと同様に、そこで画定された円形のレンズ開口部１２５０を有し得る。フラップ部１１００のレンズ開口部１１５５のように、シャシー部１２００のレンズ開口部１２５０は、非球面レンズ１２２を塞がないような、または、非球面レンズ１２２を通したユーザの視線を遮らないような大きさに形成されている。ＶＲヘッドセット１００では、レンズアセンブリ１２０の第２の外壁１２０ｃをレンズアセンブリ１２０の内壁部１２０ａに取付けることが可能であり、これにより、非球面レンズ１２２を（それらのタブを覆うことによって）レンズアセンブリ１２０において所定の位置に固定できる。
【００４４】
図１３は、ＶＲヘッドセット１００の非球面レンズ１２２を示す図である。図１３に示すように、非球面レンズ１２２は各々、図１１に示す、レンズアセンブリ１２０の内壁部１２０ａのレンズ開口部１１５０のタブと一直線に並ぶように構成された複数のタブを含み得る。
【００４５】
図１４は、ＶＲヘッドセット１００を製造するために使用可能な第３の構造的なコンポーネント、つまり図７〜図１０に示す入力ボタン機構７００の入力ボタン機構部１４００を示す。図１４に示すように、入力ボタン機構部１４００は入力ボタン機構７００の上部レール１４１０（たとえば、互いの上に折り畳み可能な２つの区画における）と、内壁部１４２０と、ハンマー部１４３０（折り畳まれて、たとえば図８に示すようなハンマー部１４３０を形成可能）とを含み得る。
【００４６】
導電性ストリップ１５００および発泡樹脂ボタン１６００（それぞれ図１５および図１６に示す）は、図１７〜図２６に示された組立プロセスの一部として、入力ボタン機構部１４００に取付け可能である。また、入力ボタン機構部１４００はボタン部１５０ａを含んでもよく、このボタン部は、上部レール１４１０の上へと折り畳まれて（かつ、それに取付けられて）、その後、導電性ストリップ１５００の一部に覆われて入力ボタン１５０を形成し得る。
【００４７】
図１５は導電性ストリップ１５００を示し、図１６は、図７〜図１０に示されて上記で説明された入力ボタン機構７００内に含まれ得る発泡樹脂ボタン１６００を示す。導電性ストリップ１５００および発泡樹脂ボタン１６００を製造するために使用される材料は変更可能であり、特定の実施態様によって決まる。
【００４８】
図１７〜図２６は、一実施態様に係る、図１１〜図１６に示す構成部品１１００、１２００、１２２、１４００、１５００、および１６００から図１〜図６に示すＶＲヘッドセット１００を製造するための組立ステップを示す図である。図１７は、図１１のフラップ部１１００（の上部）に取付けられた、図１２のシャシー部１２００を示し、シャシー部１２００の内壁区画１２２０は、フラップ部１１００の内壁区画１１２０と一直線に並んでいる。図１８はフラップ部１１００（の上部）に取付けられた、図１４の入力ボタン部１４００およびシャシー部１２００を示し、シャシー部１２００は少なくともその一部がフラップ部１１００と入力ボタン部１４００との間に配設され、入力ボタン部１４００の内壁区画１４２０は、シャシー部１２００の内壁区画１２２０と一直線に並べられ、それに取付けられている。また、図１８は、エンクロージャフラップ１３０の内面に取付けられたパッド１３２（たとえば、シリコーンパッド）を示す。たとえば、パッド１３２は、ＶＲヘッドセット内でそれ自体を所定の位置へ取付けるために使用される粘着性の裏材を有し得る。代替として、接着剤をエンクロージャフラップ１３０の内面に塗布してもよく、その接着剤を、ＶＲヘッドセット１００において所定の位置にパッド１３２を取付けるために使用してもよい。
【００４９】
図１９、図２０、および図２１は、図１５の導電性ストリップ１５００の適用を含む、図７および図８、ならびに図９および図１０の断面図に示す入力ボタン機構７００の組立を示す。
【００５０】
図２２は、レンズアセンブリ１２０の内壁１２０ａの上で折り畳まれてこれと取付けられた、レンズアセンブリ１２０の外壁１２０ｂを示す。図２３は、非球面レンズ１２２のタブ１３００がレンズアセンブリ１２０の内壁１２０ａのレンズ開口部１１５０の切欠きと一直線に並んだ状態の、レンズアセンブリ１２０に設けられた非球面レンズ１２２を示す。図２４は、外壁部１２０ｃを内壁１２０ａに取付けることによって、フラップ部１１００をシャシー部１１２０の上に折り畳んでレンズフレームアセンブリ内で非球面レンズ１２２を固定することを示す。これにより、タブ１３００が内壁１２０ａのレンズ開口部１１５０の切欠きにおいて固定され、入力ボタン機構７００がＶＲヘッドセット１００で囲まれる。
【００５１】
図２５は、折り畳まれたシャシー部１２００のフラップ１１６ｄと、フラップ１１６ｄの上部で折り畳まれた（かつ、これに取付けられた）内壁１１６ａとを示す。面整列穴１１６ｃも図２５に示されている。フラップ１１２ｄおよび内壁１１２ａも同様に組立て可能である。図２６は、側方フラップ１１２および１１６の面ファスナ、ならびに前面フラップ１３０の面ファスナを取付けた後のＶＲヘッドセット１００を示す。図２６に示すようなＶＲヘッドセット１００は、側方フラップ１１２および１１６を面ファスナ１１２および１１６ｂを用いて固定し、かつ、ＶＲヘッドセット内の電子デバイスを前面フラップ１３０およびその対応する面ファスナ１１４ｂ（図５に示す）と固定した後で使用できる準備が整った状態である。
【００５２】
一般的な態様では、バーチャルリアリティヘッドセットは複数の構造的なコンポーネントを備えて得、各構造的なコンポーネントは、それぞれ厚紙シートから形成され得る。複数の構造的なコンポーネントは折り畳まれてＶＲヘッドセットを形成する。複数の構造的なコンポーネントは、ＶＲヘッドセットの第１の構成で、ユーザの顔付近でまたは顔に向けてＶＲヘッドセットを配置するための開口部を画定する複数のフラップと、ＶＲヘッドセットの内壁と、ＶＲヘッドセットの底壁と、レンズフレームアセンブリと、ＶＲヘッドセットの上壁と、ＶＲヘッドセットの底壁に蝶番式に連結されたエンクロージャフラップとを含み得る。エンクロージャフラップは、ＶＲヘッドセットの第１の構成で、内壁に向けてＶＲヘッドセットにおいて電子デバイスを固定するように構成可能である。ＶＲヘッドセットの第２の構成では、エンクロージャフラップは、内壁とエンクロージャフラップとの間の開口部を画定する複数のフラップを囲むように構成可能である。
【００５３】
実施態様は、以下の特徴の１つ以上の特徴を含み得る。たとえば、複数の構造的なコンポーネントは、内壁に蝶番式に連結された上部レールを含み得る。上部レールはＶＲヘッドセット内に配設可能であり、入力機構を含み得る。入力機構は、上部レールに配設された入力ボタンと、上部レールと連結されたハンマー構造とを含み得る。ハンマー構造は、入力ボタンの押し下げに応答して、内壁において開口部を通じて延在するように構成可能である。入力機構は、入力ボタンとハンマー構造との間で延在する導電体を含み得る。導電体は、入力ボタンを電気的にハンマー構造に結合可能である。
【００５４】
ＶＲヘッドセットは、ＶＲヘッドセットの内壁に向けてＶＲヘッドセットに配設された電子デバイスの表示パネルに表示された画像が非球面レンズの対を通して視認可能になるように、レンズフレームアセンブリに配設された非球面レンズの対を備え得る。ＶＲヘッドセットは、エンクロージャフラップの内面に配設されたシリコーンパッドを備え得る。
【００５５】
複数のフラップは、第１の側方フラップ、第２の側方フラップ、および第１の側方フラップと第２の側方フラップとの間に配設された上部フラップを含み得る。上部フラップは、ユーザの額に向けてまたは額付近に設けられるように構成された、湾曲した切欠きを有し得る。ＶＲヘッドセットの第１の構成では、第１の側方フラップはＶＲヘッドセットの第１の内部側壁に締結され、第２の側方フラップはＶＲヘッドセットの第２の内部側壁に締結されている。ＶＲヘッドセットの第１の構成およびＶＲヘッドセットの第２の構成では、エンクロージャフラップをＶＲヘッドセットの内部上壁に締結し得る。
【００５６】
他の一般的な態様では、バーチャルリアリティ（ＶＲ）ヘッドセットは、第１の構造的なコンポーネント、第２の構造的なコンポーネント、および第３の構造的なコンポーネントを含み得る。第１の構造的なコンポーネントは、ユーザの顔付近でまたは顔に向けてＶＲヘッドセットを配置するための開口部を画定する複数のフラップと、ＶＲヘッドセットの内壁の第１の部分と、ＶＲヘッドセットの底壁の第１の部分と、レンズフレームアセンブリの内側層と、レンズフレームアセンブリの第１の外側層とを含み得る。第２の構造的なコンポーネントは、ＶＲヘッドセットの内壁の第２の部分を含み得る。内壁の第２の部分は、内壁の第１の部分に取付固定可能である。第２の構造的なコンポーネントは、ＶＲヘッドセットの上壁と、レンズフレームアセンブリの第２の外側層と、ＶＲヘッドセットの底壁の第２の部分と、ＶＲヘッドセットの底壁の第２の部分に蝶番式に連結されたエンクロージャフラップとをさらに含み得る。エンクロージャフラップは、ＶＲヘッドセット内で内壁に向けて電子デバイスを固定するように構成可能である。第３の構造的なコンポーネントは、ＶＲヘッドセットの内壁の第３の部分を備え得る。内壁の第３の部分は、内壁の第２の部分に取付固定可能である。また、第３の構造的なコンポーネントは、入力機構を有する上部レールを含み得る。上部レールは、内壁の第３の部分に蝶番式に接続され得る。
【００５７】
実施の態様は、以下の特徴の１つ以上の特徴を含み得る。たとえば、複数のフラップは、第１の側方フラップ、第２の側方フラップ、および第１の側方フラップと第２の側方フラップとの間に配設された上部フラップを含み得る。上部フラップは、ユーザの額に向けてまたは額付近に設けられるように構成された、湾曲した切欠きを有し得る。第１の側方フラップ、第２の側方フラップ、および上部フラップは、内壁とエンクロージャフラップとの間に配設されるように折り畳み可能である。
【００５８】
ＶＲヘッドセットは、エンクロージャフラップとＶＲヘッドセットの内壁との間でＶＲヘッドセットに配設された電子デバイスの表示パネルに表示された画像がそれ自体を通して視認可能になるように、レンズフレームアセンブリに配設された非球面レンズの対を備え得る。非球面レンズの対の非球面レンズを、レンズフレームアセンブリの内側層で画定されたレンズ開口部内に配設でき、非球面レンズの周囲に配設された複数の保持タブによって、所定の位置に保持できる。複数の保持タブは、レンズフレームアセンブリの第１の外側層とレンズフレームアセンブリの第２の外側層との間に配設可能である。複数の保持タブは各々、レンズフレームアセンブリの内側層で対応する切れ込み内に配設可能である。
【００５９】
入力機構は、上部レールに配設された入力ボタンと、上部レールと連結されたハンマー構造とを含み得る。ハンマー構造は、入力ボタンの押し下げに応答して内壁の開口部を通して延在するように構成され得る。入力機構は、入力ボタンとハンマー構造との間で延在する導電体を含み得る。導電体は、入力ボタンを電気的にハンマー構造に結合し得る。入力機構は、ハンマー構造に配設された発泡樹脂ボタンを含み得る。発泡樹脂ボタンは、少なくとも導電体を介して入力ボタンに電気的に結合された、導電性の外面を有し得る。入力ボタンは、複数のフラップに画定された切欠きを通じてアクセス可能である。
【００６０】
ＶＲヘッドセットは、エンクロージャフラップの内面に配設されたシリコーンパッドを備え得る。
【００６１】
第１の構造的なコンポーネントは、第１の厚紙シートから形成され得る。第２の構造的なコンポーネントは、第２の厚紙シートから形成され得る。第３の構造的なコンポーネントは、第３の厚紙シートから形成され得る。ＶＲヘッドセットは、第１の厚紙シート、第２の厚紙シート、および第３の厚紙シートをそれら自体に形成された複数のスコアラインに沿ってそれぞれ折り畳むことによって形成可能である。
【００６２】
開口部を画定する複数のフラップは、ＶＲヘッドセットの第１の構成において、ＶＲヘッドセットの外面の少なくとも一部を形成し得る。開口部を画定する複数のフラップは、ＶＲヘッドセットの第２の構成において、エンクロージャフラップ内で配設可能である。
【００６３】
複数の実施態様について説明したが、特許請求の範囲の精神および範囲内でさまざまな修正形態が可能であることは、理解されよう。
【図１】
0006564876.tif 000002
【図２】
0006564876.tif 000003
【図３】
0006564876.tif 000004
【図４】
0006564876.tif 000005
【図５】
0006564876.tif 000006
【図６】
0006564876.tif 000007
【図７】
0006564876.tif 000008
【図８】
0006564876.tif 000009
【図９】
0006564876.tif 000010
【図１０】
0006564876.tif 000011
【図１１】
0006564876.tif 000012
【図１２】
0006564876.tif 000013
【図１３】
0006564876.tif 000014
【図１４】
0006564876.tif 000015
【図１５】
0006564876.tif 000016
【図１６】
0006564876.tif 000017
【図１７】
0006564876.tif 000018
【図１８】
0006564876.tif 000019
【図１９】
0006564876.tif 000020
【図２０】
0006564876.tif 000021
【図２１】
0006564876.tif 000022
【図２２】
0006564876.tif 000023
【図２３】
0006564876.tif 000024
【図２４】
0006564876.tif 000025
【図２５】
0006564876.tif 000026
【図２６】
0006564876.tif 000027